【手続補正書】
【提出日】平成19年12月11日(2007.12.11)
【手続補正１】
【補正対象書類名】特許請求の範囲
【補正対象項目名】全文
【補正方法】変更
【補正の内容】
【特許請求の範囲】
【請求項１】
入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成部と、
前記入力画像信号のフレーム間あるいはフィールド間に前記内挿画像信号を内挿することにより、前記入力画像信号のフレーム数あるいはフィールド数を変換する画像内挿部とを有するレート変換手段を備えた画像表示装置であって、
前記入力画像信号のフレーム間あるいはフィールド間における動き量が第１の所定量以上である第１の領域を検出する第１の領域検出手段と、
前記第１の領域とは異なる領域であって、前記入力画像信号のフレーム間あるいはフィールド間における動き量が第２の所定量（第２の所定量≦第１の所定量）以下である第２の領域を検出する第２の領域検出手段と、
前記入力画像信号のフレーム間あるいはフィールド間差分により静止領域を検出する第３の領域検出手段とを備え、
前記第１の領域中の前記静止領域に対しては、前記動き補償処理を施した内挿画像信号を前記入力画像信号のフレーム間あるいはフィールド間に内挿すると共に、前記第２の領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする画像表示装置。
【請求項２】
前記請求項１に記載の画像表示装置において、
前記内挿画像生成部は、前記第１の領域中の前記静止領域に対しては、前記動き補償処理を施した画像信号を内挿画像信号とし、
前記第２の領域中の前記静止領域に対しては、前記動き補償処理を施さない画像信号を内挿画像信号とすることを特徴とする画像表示装置。
【請求項３】
前記請求項１または２に記載の画像表示装置において、
前記内挿画像生成部は、前記動き補償処理を施さない画像信号として、前記入力画像信号のフレーム間あるいはフィールド間において線形補間処理を施した画像信号を用いることを特徴とする画像表示装置。
【請求項４】
前記請求項１乃至３のいずれかに記載の画像表示装置において、
前記第２の領域中の前記静止領域の少なくとも一端を、動き方向あるいはその逆方向に所定量だけ拡張する手段を備えたことを特徴とする画像表示装置。
【請求項５】
入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成部と、
前記入力画像信号のフレーム間あるいはフィールド間に前記内挿画像信号を内挿することにより、前記入力画像信号のフレーム数あるいはフィールド数を変換する画像内挿部とを有するレート変換手段を備えた画像表示装置であって、
前記入力画像信号のフレーム間あるいはフィールド間における動き量が所定量以下である低速領域を検出する低速領域検出手段と、
前記入力画像信号のフレーム間あるいはフィールド間差分により静止領域を検出する静止領域検出手段とを備え、
前記低速領域中の前記静止領域以外の領域及び低速領域以外の領域に対しては、前記動き補償処理を施した内挿画像信号を前記入力画像信号のフレーム間あるいはフィールド間に内挿すると共に、前記低速領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする画像表示装置。
【請求項６】
入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成工程と、
前記入力画像信号のフレーム間あるいはフィールド間に前記内挿画像信号を内挿することにより、前記入力画像信号のフレーム数あるいはフィールド数を変換する画像内挿工程とを有するレート変換ステップを備えた画像表示方法であって、
前記入力画像信号のフレーム間あるいはフィールド間における動き量が第１の所定量以上である第１の領域を検出するステップと、
前記第１の領域とは異なる領域であって、前記入力画像信号のフレーム間あるいはフィールド間における動き量が第２の所定量（第２の所定量≦第１の所定量）以下である第２の領域を検出するステップと、
前記入力画像信号のフレーム間あるいはフィールド間差分により静止領域を検出するステップとを備え、
前記第１の領域中の前記静止領域に対しては、前記動き補償処理を施した内挿画像信号を前記入力画像信号のフレーム間あるいはフィールド間に内挿すると共に、前記第２の領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする画像表示方法。
【請求項７】
入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成工程と、
前記入力画像信号のフレーム間あるいはフィールド間に前記内挿画像信号を内挿することにより、前記入力画像信号のフレーム数あるいはフィールド数を変換する画像内挿工程とを有するレート変換ステップを備えた画像表示方法であって、
前記入力画像信号のフレーム間あるいはフィールド間における動き量が第１の所定量以上である第１の領域を検出するステップと、
前記第１の領域とは異なる領域であって、前記入力画像信号のフレーム間あるいはフィールド間における動き量が第２の所定量（第２の所定量≦第１の所定量）以下である第２の領域を検出するステップと、
前記入力画像信号のフレーム間あるいはフィールド間差分により静止領域を検出するステップと、
前記第２の領域中の前記静止領域の少なくとも一端を、動き方向あるいはその逆方向に所定量だけ拡張するステップとを備え、
前記第１の領域中の前記静止領域に対しては、前記動き補償処理を施した内挿画像信号を前記入力画像信号のフレーム間あるいはフィールド間に内挿すると共に、前記所定量拡張された前記第２の領域中の静止領域に対しては、前記動き補償処理を施した画像信号の加算比率が低くなるように、前記加重加算比率を変化させ生成した内挿画像信号を、前記入力画像信号のフレーム間あるいはフィールド間に内挿することによって、前記入力画像信号のフレーム数あるいはフィールド数を変換することを特徴とする画像表示方法。
【請求項８】
入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成工程と、
前記入力画像信号のフレーム間あるいはフィールド間に前記内挿画像信号を内挿することにより、前記入力画像信号のフレーム数あるいはフィールド数を変換する画像内挿工程とを有するレート変換ステップを備えた画像表示方法であって、
前記入力画像信号のフレーム間あるいはフィールド間における動き量が所定量以下である低速領域を検出するステップと、
前記入力画像信号のフレーム間あるいはフィールド間差分により静止領域を検出するステップとを備え、
前記低速領域中の前記静止領域以外の領域及び低速領域以外の領域に対しては、前記動き補償処理を施した内挿画像信号を前記入力画像信号のフレーム間あるいはフィールド間に内挿すると共に、前記低速領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする画像表示方法。
【請求項９】
入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成部と、
前記入力画像信号のフレーム間あるいはフィールド間に前記内挿画像信号を内挿することにより、前記入力画像信号のフレーム数あるいはフィールド数を変換する画像内挿部とを有するレート変換手段を備えた画像処理装置であって、
前記入力画像信号のフレーム間あるいはフィールド間における動き量が第１の所定量以上である第１の領域を検出する第１の領域検出手段と、
前記第１の領域とは異なる領域であって、前記入力画像信号のフレーム間あるいはフィールド間における動き量が第２の所定量（第２の所定量≦第１の所定量）以下である第２の領域を検出する第２の領域検出手段と、
前記入力画像信号のフレーム間あるいはフィールド間差分により静止領域を検出する第３の領域検出手段とを備え、
前記第１の領域中の前記静止領域に対しては、前記動き補償処理を施した内挿画像信号を前記入力画像信号のフレーム間あるいはフィールド間に内挿すると共に、前記第２の領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする画像処理装置。
【請求項１０】
前記請求項９に記載の画像処理装置において、
前記第２の領域中の前記静止領域の少なくとも一端を、動き方向あるいはその逆方向に所定量だけ拡張する手段を備えたことを特徴とする画像処理装置。
【請求項１１】
入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成部と、
前記入力画像信号のフレーム間あるいはフィールド間に前記内挿画像信号を内挿することにより、前記入力画像信号のフレーム数あるいはフィールド数を変換する画像内挿部とを有するレート変換手段を備えた画像処理装置であって、
前記入力画像信号のフレーム間あるいはフィールド間における動き量が所定量以下である低速領域を検出する低速領域検出手段と、
前記入力画像信号のフレーム間あるいはフィールド間差分により静止領域を検出する静止領域検出手段とを備え、
前記低速領域中の前記静止領域以外の領域及び低速領域以外の領域に対しては、前記動き補償処理を施した内挿画像信号を前記入力画像信号のフレーム間あるいはフィールド間に内挿すると共に、前記低速領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする画像処理装置。
【請求項１２】
入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成工程と、
前記入力画像信号のフレーム間あるいはフィールド間に前記内挿画像信号を内挿することにより、前記入力画像信号のフレーム数あるいはフィールド数を変換する画像内挿工程とを有するレート変換ステップを備えた画像処理方法であって、
前記入力画像信号のフレーム間あるいはフィールド間における動き量が第１の所定量以上である第１の領域を検出するステップと、
前記第１の領域とは異なる領域であって、前記入力画像信号のフレーム間あるいはフィールド間における動き量が第２の所定量（第２の所定量≦第１の所定量）以下である第２の領域を検出するステップと、
前記入力画像信号のフレーム間あるいはフィールド間差分により静止領域を検出するステップとを備え、
前記第１の領域中の前記静止領域に対しては、前記動き補償処理を施した内挿画像信号を前記入力画像信号のフレーム間あるいはフィールド間に内挿すると共に、前記第２の領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする画像処理方法。
【請求項１３】
入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成工程と、
前記入力画像信号のフレーム間あるいはフィールド間に前記内挿画像信号を内挿することにより、前記入力画像信号のフレーム数あるいはフィールド数を変換する画像内挿工程とを有するレート変換ステップを備えた画像処理方法であって、
前記入力画像信号のフレーム間あるいはフィールド間における動き量が第１の所定量以上である第１の領域を検出するステップと、
前記第１の領域とは異なる領域であって、前記入力画像信号のフレーム間あるいはフィールド間における動き量が第２の所定量（第２の所定量≦第１の所定量）以下である第２の領域を検出するステップと、
前記入力画像信号のフレーム間あるいはフィールド間差分により静止領域を検出するステップと、
前記第２の領域中の前記静止領域の少なくとも一端を、動き方向あるいはその逆方向に所定量だけ拡張するステップとを備え、
前記第１の領域中の前記静止領域に対しては、前記動き補償処理を施した内挿画像信号を前記入力画像信号のフレーム間あるいはフィールド間に内挿すると共に、前記所定量拡張された前記第２の領域中の静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする画像処理方法。
【請求項１４】
入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成工程と、
前記入力画像信号のフレーム間あるいはフィールド間に前記内挿画像信号を内挿することにより、前記入力画像信号のフレーム数あるいはフィールド数を変換する画像内挿工程とを有するレート変換ステップを備えた画像処理方法であって、
前記入力画像信号のフレーム間あるいはフィールド間における動き量が所定量以下である低速領域を検出するステップと、
前記入力画像信号のフレーム間あるいはフィールド間差分により静止領域を検出するステップとを備え、
前記低速領域中の前記静止領域以外の領域及び低速領域以外の領域に対しては、前記動き補償処理を施した内挿画像信号を前記入力画像信号のフレーム間あるいはフィールド間に内挿すると共に、前記低速領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする画像処理方法。
【手続補正２】
【補正対象書類名】明細書
【補正対象項目名】００３２
【補正方法】変更
【補正の内容】
【００３２】
上記課題を解決するために、本願の第１の発明は、入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成部と、前記入力画像信号のフレーム間あるいはフィールド間に前記内挿画像信号を内挿することにより、前記入力画像信号のフレーム数あるいはフィールド数を変換する画像内挿部とを有するレート変換手段を備えた画像表示装置であって、前記入力画像信号のフレーム間あるいはフィールド間における動き量が第１の所定量以上である第１の領域を検出する第１の領域検出手段と、前記第１の領域とは異なる領域であって、前記入力画像信号のフレーム間あるいはフィールド間における動き量が第２の所定量（第２の所定量≦第１の所定量）以下である第２の領域を検出する第２の領域検出手段と、前記入力画像信号のフレーム間あるいはフィールド間差分により静止領域を検出する第３の領域検出手段とを備え、前記第１の領域中の前記静止領域に対しては、前記動き補償処理を施した内挿画像信号を前記入力画像信号のフレーム間あるいはフィールド間に内挿すると共に、前記第２の領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする。
【手続補正３】
【補正対象書類名】明細書
【補正対象項目名】００３３
【補正方法】変更
【補正の内容】
【００３３】
本願の第２の発明は、前記内挿画像生成部が、前記第１の領域中の前記静止領域に対しては、前記動き補償処理を施した画像信号を内挿画像信号とし、前記第２の領域中の前記静止領域に対しては、前記動き補償処理を施さない画像信号を内挿画像信号とすることを特徴とする。
【手続補正４】
【補正対象書類名】明細書
【補正対象項目名】００３４
【補正方法】変更
【補正の内容】
【００３４】
本願の第３の発明は、前記内挿画像生成部が、前記動き補償処理を施さない画像信号として、前記入力画像信号のフレーム間あるいはフィールド間において線形補間処理を施した画像信号を用いることを特徴とする。
【手続補正５】
【補正対象書類名】明細書
【補正対象項目名】００３５
【補正方法】削除
【補正の内容】
【手続補正６】
【補正対象書類名】明細書
【補正対象項目名】００３６
【補正方法】変更
【補正の内容】
【００３６】
本願の第４の発明は、前記第２の領域中の前記静止領域の少なくとも一端を、動き方向あるいはその逆方向に所定量だけ拡張する手段を備えたことを特徴とする。
【手続補正７】
【補正対象書類名】明細書
【補正対象項目名】００３７
【補正方法】変更
【補正の内容】
【００３７】
本願の第５の発明は、入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成部と、前記入力画像信号のフレーム間あるいはフィールド間に前記内挿画像信号を内挿することにより、前記入力画像信号のフレーム数あるいはフィールド数を変換する画像内挿部とを有するレート変換手段を備えた画像表示装置であって、前記入力画像信号のフレーム間あるいはフィールド間における動き量が所定量以下である低速領域を検出する低速領域検出手段と、前記入力画像信号のフレーム間あるいはフィールド間差分により静止領域を検出する静止領域検出手段とを備え、前記低速領域中の前記静止領域以外の領域及び低速領域以外の領域に対しては、前記動き補償処理を施した内挿画像信号を前記入力画像信号のフレーム間あるいはフィールド間に内挿すると共に、前記低速領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする。
【手続補正８】
【補正対象書類名】明細書
【補正対象項目名】００３８
【補正方法】変更
【補正の内容】
【００３８】
本願の第６の発明は、入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成工程と、前記入力画像信号のフレーム間あるいはフィールド間に前記内挿画像信号を内挿することにより、前記入力画像信号のフレーム数あるいはフィールド数を変換する画像内挿工程とを有するレート変換ステップを備えた画像表示方法であって、前記入力画像信号のフレーム間あるいはフィールド間における動き量が第１の所定量以上である第１の領域を検出するステップと、前記第１の領域とは異なる領域であって、前記入力画像信号のフレーム間あるいはフィールド間における動き量が第２の所定量（第２の所定量≦第１の所定量）以下である第２の領域を検出するステップと、前記入力画像信号のフレーム間あるいはフィールド間差分により静止領域を検出するステップとを備え、前記第１の領域中の前記静止領域に対しては、前記動き補償処理を施した内挿画像信号を前記入力画像信号のフレーム間あるいはフィールド間に内挿すると共に、前記第２の領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする。
【手続補正９】
【補正対象書類名】明細書
【補正対象項目名】００３９
【補正方法】変更
【補正の内容】
【００３９】
本願の第７の発明は、入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成工程と、前記入力画像信号のフレーム間あるいはフィールド間に前記内挿画像信号を内挿することにより、前記入力画像信号のフレーム数あるいはフィールド数を変換する画像内挿工程とを有するレート変換ステップを備えた画像表示方法であって、前記入力画像信号のフレーム間あるいはフィールド間における動き量が第１の所定量以上である第１の領域を検出するステップと、前記第１の領域とは異なる領域であって、前記入力画像信号のフレーム間あるいはフィールド間における動き量が第２の所定量（第２の所定量≦第１の所定量）以下である第２の領域を検出するステップと、前記入力画像信号のフレーム間あるいはフィールド間差分により静止領域を検出するステップと、前記第２の領域中の前記静止領域の少なくとも一端を、動き方向あるいはその逆方向に所定量だけ拡張するステップとを備え、前記第１の領域中の前記静止領域に対しては、前記動き補償処理を施した内挿画像信号を前記入力画像信号のフレーム間あるいはフィールド間に内挿すると共に、前記所定量拡張された前記第２の領域中の静止領域に対しては、前記動き補償処理を施した画像信号の加算比率が低くなるように、前記加重加算比率を変化させ生成した内挿画像信号を、前記入力画像信号のフレーム間あるいはフィールド間に内挿することによって、前記入力画像信号のフレーム数あるいはフィールド数を変換することを特徴とする。
【手続補正１０】
【補正対象書類名】明細書
【補正対象項目名】００４０
【補正方法】変更
【補正の内容】
【００４０】
本願の第８の発明は、入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成工程と、前記入力画像信号のフレーム間あるいはフィールド間に前記内挿画像信号を内挿することにより、前記入力画像信号のフレーム数あるいはフィールド数を変換する画像内挿工程とを有するレート変換ステップを備えた画像表示方法であって、前記入力画像信号のフレーム間あるいはフィールド間における動き量が所定量以下である低速領域を検出するステップと、前記入力画像信号のフレーム間あるいはフィールド間差分により静止領域を検出するステップとを備え、前記低速領域中の前記静止領域以外の領域及び低速領域以外の領域に対しては、前記動き補償処理を施した内挿画像信号を前記入力画像信号のフレーム間あるいはフィールド間に内挿すると共に、前記低速領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする。
【手続補正１１】
【補正対象書類名】明細書
【補正対象項目名】００４１
【補正方法】変更
【補正の内容】
【００４１】
本願の第９の発明は、入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成部と、前記入力画像信号のフレーム間あるいはフィールド間に前記内挿画像信号を内挿することにより、前記入力画像信号のフレーム数あるいはフィールド数を変換する画像内挿部とを有するレート変換手段を備えた画像処理装置であって、前記入力画像信号のフレーム間あるいはフィールド間における動き量が第１の所定量以上である第１の領域を検出する第１の領域検出手段と、前記第１の領域とは異なる領域であって、前記入力画像信号のフレーム間あるいはフィールド間における動き量が第２の所定量（第２の所定量≦第１の所定量）以下である第２の領域を検出する第２の領域検出手段と、前記入力画像信号のフレーム間あるいはフィールド間差分により静止領域を検出する第３の領域検出手段とを備え、前記第１の領域中の前記静止領域に対しては、前記動き補償処理を施した内挿画像信号を前記入力画像信号のフレーム間あるいはフィールド間に内挿すると共に、前記第２の領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする。
【手続補正１２】
【補正対象書類名】明細書
【補正対象項目名】００４２
【補正方法】変更
【補正の内容】
【００４２】
本願の第１０の発明は、前記第２の領域中の前記静止領域の少なくとも一端を、動き方向あるいはその逆方向に所定量だけ拡張する手段を備えたことを特徴とする。
【手続補正１３】
【補正対象書類名】明細書
【補正対象項目名】００４３
【補正方法】変更
【補正の内容】
【００４３】
本願の第１１の発明は、入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成部と、前記入力画像信号のフレーム間あるいはフィールド間に前記内挿画像信号を内挿することにより、前記入力画像信号のフレーム数あるいはフィールド数を変換する画像内挿部とを有するレート変換手段を備えた画像処理装置であって、前記入力画像信号のフレーム間あるいはフィールド間における動き量が所定量以下である低速領域を検出する低速領域検出手段と、前記入力画像信号のフレーム間あるいはフィールド間差分により静止領域を検出する静止領域検出手段とを備え、前記低速領域中の前記静止領域以外の領域及び低速領域以外の領域に対しては、前記動き補償処理を施した内挿画像信号を前記入力画像信号のフレーム間あるいはフィールド間に内挿すると共に、前記低速領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする。
【手続補正１４】
【補正対象書類名】明細書
【補正対象項目名】００４４
【補正方法】変更
【補正の内容】
【００４４】
本願の第１２の発明は、入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成工程と、前記入力画像信号のフレーム間あるいはフィールド間に前記内挿画像信号を内挿することにより、前記入力画像信号のフレーム数あるいはフィールド数を変換する画像内挿工程とを有するレート変換ステップを備えた画像処理方法であって、前記入力画像信号のフレーム間あるいはフィールド間における動き量が第１の所定量以上である第１の領域を検出するステップと、前記第１の領域とは異なる領域であって、前記入力画像信号のフレーム間あるいはフィールド間における動き量が第２の所定量（第２の所定量≦第１の所定量）以下である第２の領域を検出するステップと、前記入力画像信号のフレーム間あるいはフィールド間差分により静止領域を検出するステップとを備え、前記第１の領域中の前記静止領域に対しては、前記動き補償処理を施した内挿画像信号を前記入力画像信号のフレーム間あるいはフィールド間に内挿すると共に、前記第２の領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする。
【手続補正１５】
【補正対象書類名】明細書
【補正対象項目名】００４５
【補正方法】変更
【補正の内容】
【００４５】
本願の第１３の発明は、入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成工程と、前記入力画像信号のフレーム間あるいはフィールド間に前記内挿画像信号を内挿することにより、前記入力画像信号のフレーム数あるいはフィールド数を変換する画像内挿工程とを有するレート変換ステップを備えた画像処理方法であって、前記入力画像信号のフレーム間あるいはフィールド間における動き量が第１の所定量以上である第１の領域を検出するステップと、前記第１の領域とは異なる領域であって、前記入力画像信号のフレーム間あるいはフィールド間における動き量が第２の所定量（第２の所定量≦第１の所定量）以下である第２の領域を検出するステップと、前記入力画像信号のフレーム間あるいはフィールド間差分により静止領域を検出するステップと、前記第２の領域中の前記静止領域の少なくとも一端を、動き方向あるいはその逆方向に所定量だけ拡張するステップとを備え、前記第１の領域中の前記静止領域に対しては、前記動き補償処理を施した内挿画像信号を前記入力画像信号のフレーム間あるいはフィールド間に内挿すると共に、前記所定量拡張された前記第２の領域中の静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする。
【手続補正１６】
【補正対象書類名】明細書
【補正対象項目名】００４６
【補正方法】変更
【補正の内容】
【００４６】
本願の第１４の発明は、入力画像信号のフレーム間あるいはフィールド間における動きベクトル情報に基づいて動き補償処理を施した画像信号と、前記動き補償処理を施さない画像信号とを所定の比率で加重加算することにより、内挿画像信号を生成する内挿画像生成工程と、前記入力画像信号のフレーム間あるいはフィールド間に前記内挿画像信号を内挿することにより、前記入力画像信号のフレーム数あるいはフィールド数を変換する画像内挿工程とを有するレート変換ステップを備えた画像処理方法であって、前記入力画像信号のフレーム間あるいはフィールド間における動き量が所定量以下である低速領域を検出するステップと、前記入力画像信号のフレーム間あるいはフィールド間差分により静止領域を検出するステップとを備え、前記低速領域中の前記静止領域以外の領域及び低速領域以外の領域に対しては、前記動き補償処理を施した内挿画像信号を前記入力画像信号のフレーム間あるいはフィールド間に内挿すると共に、前記低速領域中の前記静止領域に対しては、前記動き補償処理を施した画像信号の加算比率が低くなるように、前記加重加算比率を変化させて生成した内挿画像信号を、前記入力画像信号のフレーム間あるいはフィールド間に内挿することによって、前記入力画像信号のフレーム数あるいはフィールド数を変換することを特徴とする。